(57)【特許請求の範囲】
【請求項１】
前枠部１bの前側下部に、遊技用のパチンコ球を受入れる上皿とこの上皿からのパチンコ球を１個ずつ球発射起点５に送込む球送り機構８とを備えた前板６が組付けられる一方、前枠部１bの裏面に固定されて遊技盤３を嵌め込み得るベース枠２の裏側に、補給用のパチンコ球を貯留する球タンク１７と、この球タンク１７の球出口１７ｅの下方に取着されて前記球タンク１７の球出口１７ｅから落下したパチンコ球を受入れて下流の賞品球払い出し制御ユニット１９側へ２列にして誘導する球レール１８とを装着した裏枠１６が回動可能に組付けられたパチンコ機において、
前記球レール１８の上流部側に、該球レール１８内のパチンコ球の貯留および減少を球受部で感知して変動し得る第１球切れ作動片２０と、該第１球切れ作動片２０に連繋変移し得るスイッチ操作用の係動片２４と、該係動片２４の下方部位で前記第１球切れ作動片２０の感知変動を電気的に検出し得る２個の球切れ検出スイッチ２８および１枚のスイッチ基板２７と、前記第１球切れ作動片２０の下流位置で前記球レール１８内のパチンコ球の貯留および減少を球受部２１ａで感知して変動し得る第２球切れ作動片２１と、該第２球切れ作動片２１に連繋変移し得る伝動機構とがそれぞれ配設されており、
前記第１球切れ作動片２０は、前記球レール１８に挿着された支軸２２に対して片持ち状態で上下揺動可能に支持されて球受部を前記球レール１８の上流端部内に延出して前記球タンク１７の球出口１７ｅの下方に臨ませ、
前記係動片２４は、前記第１球切れ作動片２０の揺動支点の反対側先端部に連繋されて垂下状態で上下変移可能に支持されており、
前記スイッチ基板２７は、前記係動片２４の下方で前記裏枠１６に成形された基板収納部２６に対して前後方向にスライド状に出入れ可能に設置されて、該スイッチ基板２７の端部には、賞品球切れ表示ランプや遊技場の管理装置が接続される中継基板に接続されるコネクタ４３を設置し、
前記２個の球切れ検出スイッチ２８は、前記スイッチ基板２７の回路に個々に接続配置されて上向きに付勢された傾動変化可能な個々の触動片２８aを前記係動片２４の下面に押接させて、各触動片２８aが押下されているときの球有り検出状態と、各触動片２８aが解放されたときの球切れ検出状態とに変化するようになっており、かつ、一方の球切れ検出スイッチ２８の球切れ検出状態時に発する球切れ信号を前記賞品球切れ表示ランプの点灯用信号に、他方の球切れ検出スイッチ２８の球切れ検出状態時に発する球切れ信号を前記管理装置の球切れ信号に区分して前記スイッチ基板２７およびコネクタ４３を介して前記中継基板側に出力するように設定し、
前記第２球切れ作動片２１は、前記球レール１８に突設された支軸２３に対して片持ち状態で上下揺動可能に支持されて球受部を上向きに付勢したもとで前記第１球切れ作動片２０側に向けて直列状に延出し、この第２球切れ作動片２１の揺動支点の反対側先端部に、前記球送り機構８に開設された球受け口１０を開閉するシャッタ１４を、球通し可能な開放状態と球通し不能な閉鎖状態とに切換え操作する前記伝動機構が連繋されており、
前記伝動機構は、第２球切れ作動片２１の球受部の先端付近に掛止されて垂下した第１中継部材３１と、前記ベース枠２の裏側の支持部３９に対して片持ち状態で上下傾動可能に支持されて前記第１中継部材３１の下端の連繋片３３を挿通孔３７に挿通連繋した第２中継部材３６と、該第２中継部材３６の傾動支点の反対側先端部に連結されたもとで、前記ベース２の裏側から前方へ延出されて前記球送り機構８のシャッタ１４に分離可能に連繋され、該シャッタ１４を球通し可能な開放状態と球通し不能な閉鎖状態とに切換え操作する第３中継部材４０とを備えたことを特徴とするパチンコ機における球切れ検出装置。
【請求項２】
前枠部１bの裏面に固定されて内部に遊技盤３を嵌め込みセットし得るベース枠２の裏側に、補給用のパチンコ球を貯留する球タンク１７と、この球タンク１７の球出口１７eの下方に取着されて前記球タンク１７の球出口１７eから落下したパチンコ球を受入れて下方の賞品球払い出し制御ユニット１９側へ誘導する球レール１８とを装着した裏枠１６が回動可能に組付けられたパチンコ機において、
前記球レール１８の上流端部側に、該球レール１８内のパチンコ球の貯留および減少を球受部で感知して変動し得る球切れ作動片２０と、該球切れ作動片２０に連繋支持されたスイッチ操作用の係動片２４と、前記球切れ作動片２０の変動を電気的に検出し得る２個の球切れ検出スイッチ２８および１枚のスイッチ基板２７とが配設されており、
前記球切れ作動片２０は、前記球レール１８に挿着された支軸２２に対して片持ち状態で上下揺動可能に支持されて球受部を前記球レール１８の上流端部内に延出して前記球タンク１７の球出口１７ｅの下方に臨ませ、
前記係動片２４は、前記球切れ作動片２０の揺動支点の反対側先端部に連繋されて垂下状態で上下変移可能に支持されており、
前記スイッチ基板２７は、前記係動片２４の下方で前記裏枠１６に成形された基板収納部２６に対して前後方向にスライド状に出入れ可能に設置されて、該スイッチ基板２７の端部には、賞品球切れ表示ランプや遊技場の管理装置が接続される中継基板に接続されるコネクタ４３を設置し、
前記２個の球切れ検出スイッチ２８は、前記スイッチ基板２７の回路に個々に接続配置されて上向きに付勢された傾動変化可能な個々の触動片２８aを前記係動片２４の下面に押接させて、各触動片２８aが押下されているときの球有り検出状態と、各触動片２８aが解放されたときの球切れ検出状態とに変化するようになっており、かつ、一方の球切れ検出スイッチ２８の球切れ検出状態時に発する球切れ信号を前記賞品球切れ表示ランプの点灯用信号に、他方の球切れ検出スイッチ２８の球切れ検出状態時に発する球切れ信号を前記管理装置の球切れ信号に区分して前記スイッチ基板２７およびコネクタ４３を介して前記中継基板側に出力するように設定したことを特徴とするパチンコ機における球切れ検出装置。
【発明の詳細な説明】
【０００１】
【産業上の利用分野】
この発明はパチンコ機において、球補給部での球切れを検出する球切れ検出装置に関する。
【０００２】
【従来の技術】
従来の技術としては例えば実開平５−３３７７１号公報がある。
この公報には景品球タンクの底面の開口に傾動可能な傾動板を設け、この傾動板の傾動作用により作動する球検出スイッチを傾動板の裏側に配設したパチンコ機用景品球タンクが開示されている。
【０００３】
【発明が解決しようとする課題】
本発明は、パチンコ機において、球補給部での球切れの発生を重複して的確に検出して検出ミスを防止することを第１の課題とするものである。
また、本発明は、パチンコ機において、球補給部での球切れの発生を電気的に的確に検出してパチンコ球の補給と球切れ表示とを行い得ることを第２の課題とするものである。
【０００４】
【課題を解決するための手段】
請求項１の装置は、前枠部の前側下部に、遊技用のパチンコ球を受入れる上皿とこの上皿からのパチンコ球を１個ずつ球発射起点に送込む球送り機構とを備えた前板が組付けられる一方、前枠部の裏面に固定されて遊技盤を嵌め込み得るベース枠の裏側に、補給用のパチンコ球を貯留する球タンクと、この球タンクの球出口の下方に取着されて前記球タンクの球出口から落下したパチンコ球を受入れて下流の賞品球払い出し制御ユニット側へ２列にして誘導する球レールとを装着した裏枠が回動可能に組付けられたパチンコ機において、
前記球レールの上流部側に、該球レール内のパチンコ球の貯留および減少を球受部で感知して変動し得る第１球切れ作動片と、該第１球切れ作動片に連繋変移し得るスイッチ操作用の係動片と、該係動片の下方部位で前記第１球切れ作動片の感知変動を電気的に検出し得る２個の球切れ検出スイッチおよび１枚のスイッチ基板と、前記第１球切れ作動片の下流位置で前記球レール内のパチンコ球の貯留および減少を球受部で感知して変動し得る第２球切れ作動片と、該第２球切れ作動片に連繋変移し得る伝動機構とがそれぞれ配設されており、
前記第１球切れ作動片は、前記球レールに挿着された支軸に対して片持ち状態で上下揺動可能に支持されて球受部を前記球レールの上流端部内に延出して前記球タンクの球出口の下方に臨ませ、
前記係動片は、前記第１球切れ作動片の揺動支点の反対側先端部に連繋されて垂下状態で上下変移可能に支持されており、
前記スイッチ基板は、前記係動片の下方で前記裏枠に成形された基板収納部に対して前後方向にスライド状に出入れ可能に設置されて、該スイッチ基板の端部には、賞品球切れ表示ランプや遊技場の管理装置が接続される前記中継基板に接続されるコネクタを設置し、
前記２個の球切れ検出スイッチは、前記スイッチ基板の回路に個々に接続配置されて上向きに付勢された傾動変化可能な個々の触動片を前記係動片の下面に押接させて、各触動片が押下されているときの球有り検出状態と、各触動片が解放されたときの球切れ検出状態とに変化するようになっており、かつ、一方の球切れ検出スイッチの球切れ検出状態時に発する球切れ信号を前記賞品球切れ表示ランプの点灯用信号に、他方の球切れ検出スイッチの球切れ検出状態時に発する球切れ信号を前記管理装置の球切れ信号に区分して前記スイッチ基板およびコネクタを介して前記中継基板側に出力するように設定し、
前記第２球切れ作動片は、前記球レールに突設された支軸に対して片持ち状態で上下揺動可能に支持されて球受部を上向きに付勢したもとで前記第１球切れ作動片側に向けて直列状に延出し、この第２球切れ作動片の揺動支点の反対側先端部に、前記球送り機構に開設された球受け口を開閉するシャッタを、球通し可能な開放状態と球通し不能な閉鎖状態とに切換え操作する前記伝動機構が連繋されており、
前記伝動機構は、第２球切れ作動片の球受部の先端付近に掛止されて垂下した第１中継部材と、前記ベース枠の裏側の支持部に対して片持ち状態で上下傾動可能に支持されて前記第１中継部材の下端の連繋片を挿通孔に挿通連繋した第２中継部材と、該第２中継部材の傾動支点の反対側端部に連結されたもとで、前記ベースの裏側から前方へ延出されて前記球送り機構のシャッタに分離可能に連繋され、該シャッタを球通し可能な開放状態と球通し不能な閉鎖状態とに切換え操作する第３中継部材とを備える構成を有する。
【０００５】
請求項２の装置は、前枠部の裏面に固定されて内部に遊技盤を嵌め込みセットし得るベース枠の裏側に、補給用のパチンコ球を貯留する球タンクと、この球タンクの球出口の下方に取着されて前記球タンクの球出口から落下したパチンコ球を受入れて下方の賞品球払い出し制御ユニット側へ誘導する球レールとを装着した裏枠が回動可能に組付けられたパチンコ機において、
前記球レールの上流端部側に、該球レール内のパチンコ球の貯留および減少を球受部で感知して変動し得る球切れ作動片と、該球切れ作動片に連繋支持されたスイッチ操作用の係動片と、前記球切れ作動片の変動を電気的に検出し得る２個の球切れ検出スイッチおよび１枚のスイッチ基板とが配設されており、
前記球切れ作動片は、前記球レールに挿着された支軸に対して片持ち状態で上下揺動可能に支持されて球受部を前記球レールの上流端部内に延出して前記球タンクの球出口の下方に臨ませ、
前記係動片は、前記球切れ作動片の揺動支点の反対側先端部に連繋されて垂下状態で上下変移可能に支持されており、
前記スイッチ基板は、前記係動片の下方で前記裏枠に成形された基板収納部に対して前後方向にスライド状に出入れ可能に設置されて、該スイッチ基板の端部には、賞品球切れ表示ランプや遊技場の管理装置が接続される前記中継基板に接続されるコネクタを設置し、
前記２個の球切れ検出スイッチは、前記スイッチ基板の回路に個々に接続配置されて傾動変化可能に付勢された個々の触動片を前記係動片の下面に押接させて、前記係動片の下動により各触動片が押下されているときの球有り検出状態と、前記係動片の上動により各触動片が解放されたときの球切れ検出状態とに変化するようになっており、かつ、一方の球切れ検出スイッチの球切れ検出状態時に発する球切れ信号を前記賞品球切れ表示ランプの点灯用信号に、他方の球切れ検出スイッチの球切れ検出状態時に発する球切れ信号を前記管理装置の球切れ信号に区分して前記スイッチ基板およびコネクタを介して前記中継基板側に出力するように設定した構成を有する。
【０００６】
【作用】
請求項１に記載のパチンコ機における球切れ検出装置によれば、裏側に貯留されているパチンコ球が漸減する状況のもとで、球タンク内の貯留球が無くなって球レールの上流端部内の貯留球が減少すると、まず、第１球切れ作動片が、球受部で受ける球圧（球重量）から解放されて２個の球切れ検出スイッチにおける上向きの付勢力により上傾変化されて球切れ状態とされるとともに、これに追従して係動片が引上げられて２個の球切れ検出スイッチの触動片をともに解放する。これにより各球切れ検出スイッチは、個々の触動片が付勢力により上傾復帰されることにより「球切れ検出状態」として検出信号を発生する。そしてこの各検出信号が、スイッチ基板とコネクタそして中継基板を介して、賞品球切れ表示ランプに対する点灯用信号、遊技場の管理装置に対する球切れ信号として出力されることに伴い、表示ランプが点灯表示され、また管理装置の制御による球補給作動が適時開始されて供給された新たなパチンコ球が球タンク内に投入（補充）される。
次いで、前記球レールの上流端部内の球無し（球切れ）に続いて球レールの上流部内の貯留球が減少（一般的には、球補給作動の一時的な遅れに起因する球タンクへの球投入不足と賞品球払い出しとによる減少）すると、前記第１球切れ作動片の下流部に位置する第２球切れ作動片が、球受部で受ける球圧（球重量）から解放されて上向きの付勢力により上傾変化されて球切れ状態とされる。これに追従して伝動機構が球切れ状態に連動されることにより、球送り機構におけるシャッタが球受口に対する閉鎖状態（球通し不能状態）に拘束保持される。これにより、遊技用パチンコ球の球発射起点への送込み（球送り）が停止されて打球発射が暫時不能停止される。
【０００７】
前述したような球切れ状態検出をなす請求項１の装置において、前記第１球切れ作動片に関連付けられたスイッチ検出部に何らかの不具合が発生した場合には、前枠部の裏側での作業体勢において、前記球レール内のパチンコ球の有無に拘わらず前記係動片を押上げて２個の球切れ検出スイッチの触動片を解放したもとで、裏枠の基板収納部に支持されているスイッチ基板を引抜くように取外す。
【０００８】
請求項２に記載のパチンコ機の球切れ検出装置によれば、球タンク内の貯留球が無くなって球レールの上端部内の貯留球が減少すると、球切れ作動片が、球受部で受ける球圧（球重量）から解放されて２個の球切れ検出スイッチにおける上向き付勢力により上傾変化されて球切れ状態に変動されるとともに、これに追従して係動片が引上げられて２個の球切れ検出スイッチの触動片をともに解放する。これにより、各球切れ検出スイッチは、個々の触動片が付勢力により上傾復帰されることにより「球切れ検出状態」として検出信号を発生する。そして、この各検出信号が、スイッチ基板とコネクタそして中継基板を介して、賞品球切れ表示ランプに対する点灯用信号、遊技場の管理装置に対する球切れ信号として出力されることに伴い、表示ランプが点灯表示されて球切れ状態が報知され、また管理装置の制御による球補給作動が適時開始されて供給された新たなパチンコ球が球タンク内に投入（補充）される。
【０００９】
前述したような球切れ状態を検出する請求項２の装置において、前記球切れ作動片に関連付けられたスイッチ検出部側に何らかの不具合が発生した場合には、前枠部の裏側での作業体勢において、前記球レール内のパチンコ球の有無に拘わらず前記係動片を押上げて２個の球切れ検出スイッチの触動片を解放し、このもとで、裏枠の基板収納部に支持されているスイッチ基板を引抜くよう取外す。
【００１０】
【発明の効果】
請求項１に記載のパチンコ機の球切れ検出装置によれば、球タンク下方の球レール内の貯留パチンコ球が減少した場合には、第１球切れ作動片が球圧から解放されて球切れ状態に変位されることに従い、係動片が上動して２個の球切れ検出スイッチの触動片をともに解放する。これにより各球切れ検出スイッチは、「球切れ検出状態」として検出信号を発生し、この各検出信号が、スイッチ基板およびコネクタを介して賞品球切れ表示ランプの点灯用信号、遊技場の管理装置の球切れ信号として入力される。これに伴い、表示ランプが点灯表示されて「球切れ状態」を報知することができ、また管理装置の制御による球補給作動が適時開始されて球タンクに新たなパチンコ球を補給することができる。
また、これより少し時間経過した後に前記球レールの上流部内の貯留パチンコ球が減少した場合には、前記第１球切れ作動片の下流部に位置する第２球切れ作動片が球圧から解放されて球切れ状態に変位される。これに追従して伝動機構が球切れ状態に連動されることにより、球送り機構におけるシャッタが、球受口に対する球通し不能な閉鎖状態に拘束保持される。これにより遊技用パチンコ球の球発射起点への送込み（球送り）を停止させて打球発射を暫時不能停止することができる。
【００１１】
さらに、請求項１に記載のパチンコ機の球切れ検出装置では、前記第１球切れ作動片に関連付けられたスイッチ検出部に何らかの不具合が発生した場合には、前枠部の裏側での作業体勢において、係動片を押上げて２個の球切れ検出スイッチの触動片を解放したもとで、裏枠の基板収納部に支持されているスイッチ基板を引抜くだけの単純な作業で球切れ検出スイッチを簡単に取外し、交換・修理することができる。
【００１２】
請求項２に記載のパチンコ機の球切れ検出装置によれば、球タンク下方の球レール内の貯留パチンコ球が減少した場合には、球切れ作動片が球圧から解放されて球切れ状態に変位されることに従い、係動片が上動して２個の球切れ検出スイッチの触動片をともに解放する。これにより各球切れ検出スイッチは、「球切れ検出状態」として検出信号を発生し、この各検出信号が、スイッチ基板およびコネクタを介して賞品球切れ表示ランプの点灯用信号、遊技場の管理装置の球切れ信号として出力されることに伴い、表示ランプが点灯表示されて「球切れ状態」を報知することができ、また管理装置の制御による球補給作動が適時開始されて球タンクに新たなパチンコ球を補給することができる。
また、請求項２に記載のパチンコ機の球切れ検出装置では、前記球切れ作動片に関連付けられたスイッチ検出部に何らかの不具合が発生した場合には、前枠部の裏側での作業体勢において、係動片を押上げて２個の球切れ検出スイッチの触動片を解放したもとで、裏枠の基板収納部に支持されているスイッチ基板を引抜くだけの単純な作業で球切れ検出スイッチを簡単に取外し、交換・修理することができる。
【００１３】
【実施例】
次に、本発明の１実施例を図面にしたがって説明する。
パチンコ機の木枠１には後枠部１ａと、この後枠部１ａの一方の側板に前方への回動可能に結合された前枠部１ｂとが形成されている。
【００１４】
木枠１の前枠部１ｂの後面には遊技盤３が内部に嵌め込まれてセットされるベース枠２がねじ止めされている。
【００１５】
ベース枠２の下部の前面にはパチンコ球を遊技盤面へ案内する発射レール４が前上り姿勢で設置され、この発射レール４の基端部上には発射されるパチンコ球が待機する球発射起点５が形成されている。
【００１６】
図２において、木枠１の前枠部１ｂの下部に窓枠を介して前方への回動可能に結合されて前面に上皿が取付けられた前板６には上皿上のパチンコ球が通り抜ける球出口７が開設されている。
【００１７】
前板６の後面にはパチンコ球を球発射起点５へ１個づつ送り込む球送り機構８が取付けられている。
【００１８】
球送り機構８の器体９には前板６の球出口７の後側に隣接して開設された球受口１０と、この球受口１０に導入されたパチンコ球を斜め下方へ誘導する球通路１１と、この球通路１１の下端部の後方で球発射起点５の前側に隣接して開設された球送り口１２とが形成されている。
【００１９】
器体９の外端付近には球発射起点５のパチンコ球を叩打する打球杆４７の揺動動作に連動して上下方向へ往復揺動し、球通路１１の下端へ到来したパチンコ球を受入れて球発射起点５へ放出する球受渡し部材１３が揺動可能に軸支されている。
【００２０】
球受渡し部材１３は下方へ揺動したときに球通路１１の下端のパチンコ球を受入れ、上方へ揺動したときに受入れたパチンコ球を後方へ放出しながら球通路１１のパチンコ球の転動を阻止する球受部１３ａと、打球杆４７に連繋されて球受渡し部材１３の球受部１３ａを上方へ付勢する錘り１３ｂとを備えている。球受部１３ａから放出されたパチンコ球は球送り口１２を通り抜けて球発射起点５へ送り込まれる。
【００２１】
器体９内の中央部付近には上下方向への揺動動作によって球受口１０を開放および遮断して球受口１０へのパチンコ球の通過を許容および阻止するシャッタ１４が回動可能に設置されている（図２参照）。
【００２２】
シャッタ１４の内端部には上下方向への変位可能で自重によって下方へ変位する受動部１４ａが形成され、シャッタ１４の外端部には受動部１４ａが下方へ変位した状態では上方へ変位して球受口１０を開放し、受動部１４ａが上方へ変位したときに下方へ変位して球受口１０を遮断する球止め部１４ｂが形成されている。
【００２３】
ベース枠２の後側にはベース枠２に前後方向へ回動可能で取外し可能に結合されて前方の回動端でベース枠２に解離可能に係止される裏枠１６が設置されている。
【００２４】
裏枠１６は前方の回動端で遊技盤３の裏側に重ね合わされ、この状態で裏枠１６をベース枠２に係止すると、裏枠１６が遊技盤に押しつけられて遊技盤３がベース枠２に固止される。
【００２５】
裏枠１６の上端部の後面に取外し可能に取付けられて補給用のパチンコ球群が貯留される球タンク１７は前壁板１７ａと、後壁板１７ｂと、左右１対の側壁板１７ｃと、底壁板１７ｄとによって上方開放の箱形状に形成され、底壁板１７ｄの外端部には球出口１７ｅが開設され、前壁板１７ａの中央部付近には丸孔状の位置決め孔１７ｆが開設され、前壁板１７ａの両側縁には側方へ突出した突縁１７ｇがそれぞれ形成されている。
【００２６】
裏枠１６の上端部の後面に球タンク１７の両突縁１７ｇが上方から嵌め込まれて把持される１対の把持部４４が突設され、裏枠１６の上端部の後面には球タンク１７の位置決め孔１７ｆ内に嵌め込まれて球タンク１７の取付け位置を指定する係止凸部４５が突設されている。
【００２７】
球タンク１７はその両突縁１７ｇが裏枠１６の両把持部によって両持状に把持されて位置決め孔１７ｆに係止突起が係合した状態で裏枠１６に位置決めされて取外し可能に取付けられている。
【００２８】
裏枠１６の上部後面には球タンク１７内から球出口１７ｅを通って落下したパチンコ球を裏枠１６の一方の側枠部の裏側に設置された賞品球払い出し制御ユニット１９側へ前後２列にして誘導する横長状の球レール１８が取付けられている。
【００２９】
球レール１８には賞品球払い出しユニット１９側に向かって先下り状に傾斜した底板１８ａと、この底板１８ａの後端縁に連接されて垂立された縦壁板１８ｂとが形成され、底板１８ａの基端部付近には球タンク１７の球出口１７ｅの直下に配設されて補給用のパチンコ球群が集合する球補給部２５が開設され、縦壁板１８ｂの基端部付近の前面には金属薄板若しくは金属箔板によって形成されてアース用のリード線が接続された静電気防止用の帯電防止板４２が重ね合わされて固定されている。
【００３０】
帯電防止板４２には球レール１８内の基端部付近を後方から透視するための透視窓４２ａが開設されている。
【００３１】
球レール１８の球補給部２５側には、図４，５に示すように該球レール１８の上端外に挿着された支軸２２によって片持ち状態で上下方向への揺動可能に支持されて球レール１８の上端内に延出した球受部の内端下部に挿通孔２０aが貫設された第１球切れ作動片２０と、この第１球切れ作動片２０の内方（図示右方の下流側）で球レール１８に突設された支軸２３によって片持ち状態で上下方向への揺動可能に支持され、第１球切れ作動片２０の球受部の長さより延長された長さを有する球受部２１aが形成された第２球切れ作動片２１とが、球補給部２５の開口底面を閉塞した状態で互いに逆向き位置に隣合って直列状に配置されている。両球切れ作動片２０，２１は第１球切れ作動片２０上のパチンコ球がその自重で第２球切れ作動片２１の球受部２１ａ上へ転落するように配列されている。第１球切れ作動片２０はその球受面の面積が４cm2未満となるように形成され、第２球切れ作動片２１はその球受面の面積が１２cm2未満となるように形成されている。
【００３２】
第１球切れ作動片２０にはその挿通孔２０ａに挿通された軸部２４ａが上端に形成されて横幅が増大された押え部２４ｂが下端に形成され、第１球切れ作動片２０によって上下方向への変動可能に垂下された係動片２４が取外し可能に結合されている。
【００３３】
裏枠１６の上部には水平状の底板２６ａと、左右１対の側板２６ｂと、後板２６ｃとを有し、係動片２４の下方に配設された基板収納部２６が一体状に突出形成されている。
【００３４】
基板収納部２６内にはその両側板２６ｂの内壁面に前後方向に沿って平行状に突設された上下各１対の突条２６ｄによって両側縁が前後方向へのスライド可能に挟持されたスイッチ基板２７が前方への取出し可能に設置され、このスイッチ基板２７上にはばね圧によって上方へ付勢された触動片２８ａをそれぞれ有し、スイッチ基板２７のプリント回路に接続された内外１対の球切れ検出スイッチ２８が設置されるとともに、スイッチ基板２７上にはこのスイッチ基板２７と、遊技盤面に設置された賞品球切れ表示ランプや遊技場の管理装置が接続された中継基板とを接続するコネクタ４３が設置されている。
【００３５】
一方の球切れ検出スイッチ２８は賞品球切れ表示ランプを点灯させる球切れ信号を出力し、他方の球切れ検出スイッチ２８は遊技場の管理装置に球切れ信号を出力する。
【００３６】
スイッチ基板２７を基板収納部２６から取出すことができるので（図４に例示するように裏枠１６を図中右方に隔離開放した場合の前提において、スイッチ基板２７を前方すなわち図中左方に引出すことができる）、球切れ検出スイッチをその故障時に容易に交換したり、修理することができ、またスイッチ基板２７と中継基板とをコネクタ４３によって容易に接続することができる。
【００３７】
係動片２４の押え部２４ｂは両球切れ検出スイッチ２８の触動片２８ａ上に設置され、第１球切れ作動片２０がその上に載置されたパチンコ球の重量によって押下げられて下方へ揺動すると、係動片２４が下方へ変位して両球切れ検出スイッチ２８の触動片２８ａが係動片２４によって同時に押下げられた状態で保持される。
【００３８】
第１球切れ作動片２０上のパチンコ球が限度以下に少なくなると、上方への第１球切れ作動片２０の揺動が可能となって係動片２４が上動し、両球切れ検出スイッチ２８の触動片２８ａが解放されてばね圧によって共に上方へ揺動し、両球切れ検出スイッチ２８の接点が同時に切り換えられて両球切れ検出スイッチ２８が球切れ信号を出力し、一方の球切検出スイッチ２８の球切れ信号によって賞品球切れ表示ランプが点灯すると同時に、他方の球切検出スイッチ２８の球切れ信号によって遊技場の管理装置の警報ランプが点灯する。
【００３９】
第２球切れ作動片２１の球受部２１ａにはこの第２球切れ作動片２１の揺動範囲を規定するストッパ２１ｂが突出形成され、球受部２１ａの基端部に連接された突片２１ｃには第２球切れ作動片２１を球受部２１ａが上方へ揺動する方向へ常時付勢するスプリング２９が掛止されている。
第２球切れ作動片２１の球受部２１ａの上面の前後方向中央部には球レール１８へ送り込むパチンコ球群を前後に分離させて整列状態で案内する凸条２１ｄが球受部２１ａの長手方向の中央部付近から球レール１８側端部にわたって高さが球レール１８側へ漸増するように突出形成されている。
【００４０】
第２球切れ作動片２１の球受部２１ａはその上に載置されたパチンコ球群の重量によって下方へ揺動し、球受部２１ａ上のパチンコ球の個数が限度以下に少なくなって球切れ状態になると、スプリング２９の弾発力によって上方へ揺動する。
【００４１】
第１球切れ作動片２０上に載置可能なパチンコ球の個数は第２球切れ作動片２１の球受部２１ａ上に載置可能なパチンコ球の個数より少なく、球切れ時に第１球切れ作動片２０上に残留するパチンコ球の個数は第２球切れ作動片２１上に残留するパチンコ球の個数より少なくなるように設定されている。
【００４２】
両球切れ作動片２０，２１上のパチンコ球の個数が少なくなって球切れ状態になると、始めに、第１球切れ作動片２０上のパチンコ球の個数が限度以下となって第１球切れ作動片２０が上方へ揺動し、球切れ検出スイッチ２８が検出信号を出力し、続いて、第２球切れ作動片２１上のパチンコ球の個数が限度以下となって第２球切れ作動片２１の球受部２１ａが上方へ揺動し、第２球切れ作動片２１は第１球切れ作動片２０の作動時点から若干遅れて作動する。
【００４３】
第２球切れ作動片２１の動きを球送り機構８のシャッタ１４に伝える伝動機構は裏枠１６の後側とベ−ス枠２の下部の後側とにわたって設置されている。
【００４４】
この伝動機構の第１の中継部材３１は、細い金属線材（針金）によって形成されて上下方向に沿って設置された連繋杆３２と、この連繋杆３２の下端部３２ｂに取外し可能に結合された合成樹脂製の連繋片３３とを備え、裏枠１６の後面側に上下動可能に取付けられている。
【００４５】
連繋杆３２の上端部３２ａは第２球切れ作動片２１の球受部２１ａの先端付近に掛止され、第１の中継部材３１は第２の球切れ作動片２１の球受部２１ａの上下方向への揺動動作に連動して上下動する。
【００４６】
連繋片３３にはその中央部付近に突設された円盤状のフランジ部３３ａと、このフランジ部３３ａの前面の中心部に連接されて前方へ突出され、先端部に丸味が付与された丸棒状の前連繋部３３ｂと、フランジ部３３ａの後面の中心部に連接されて後方突出され、連繋杆３２の下端部３２ｂが取外し可能に結合された円筒状の後連繋部３３ｃとが形成されている。
【００４７】
裏枠１６の他方の側枠部の後面下部には連繋杆３２がその断面方向への動きが制限された状態で挿通および支持された連繋杆支持部３４が突設されるとともに、裏枠１６の下枠部にはその下面に連接されて下方へ突出され、連繋片３３を上下方向への移動可能で水平方向への移動不能に拘束支持して伝動片３３の下方の移動端を規定する拘持部３５が一体状に形成されている。
【００４８】
拘持部３５には連繋片３３のフランジ部３３ａが上下方向へのスライド可能で水平方向への移動不能に係合されたガイド溝３５ａと、フランジ部３３ａの下降端を規定する円弧面状の規定面３５ｂと、前連繋部３３ｂが挿通された縦長状の通し孔３５ｃとが形成されている。
【００４９】
連繋片３３はフランジ部３３ａが拘持部３５内に嵌め込まれて下方の移動端が規定された状態で拘持部３５によって上下方向への移動可能で水平方向への移動不能に拘持され、同一姿勢で上下方向へ変位する。
【００５０】
伝動機構の第２の中継部材３６は合成樹脂材によって横長状に形成され、ベ−ス枠２の下部後面に突設された軸部３９によって上下方向への揺動可能に支持された状態でベ−ス枠２の後面に取付けられている。
【００５１】
ベ−ス枠２の後面には第２の中継部材３６の下方の揺動端を規定するストッパ４８が突設されている（図６および図７参照）。
【００５２】
ベ−ス枠２の下部の後面に突設された突部４６には金属線材によって形成されてベ−ス枠２の前側から後側にわたって設置され、前端部がシャッタ１４の受動部１４ａの下側に配設されて第２の中継部材３６の動きをシャッタ１４に伝える第３の中継部材４０が貫挿されている。この中継部材４０は、図２，図４および図５に例示するように第２の中継部材３６の自由端部（反支持部端）に連結されて垂下状で前記突部４６に挿通支持されており、そして、ベース枠２の前方へ貫挿された中継部材４０の前端部が、シャッタ１４の受動部１４aの下側に係止状態で連繋されている。
【００５３】
第２の中継部材３６には帯板状に基片３６ａと、この基片３６ａの基端部に連接されて軸部３９が嵌挿された円筒状の軸挿部３６ｂと、基片３６ａの先端部に連接されて第３の中継部材４０の後端部が掛止された掛止部３６ｃと、軸挿部３６ｂの内方位置で基片３６ａに連接されて連繋片３３の、前連繋部３３ｂが脱出可能で連動可能に係合された係合部３６ｄとが形成されている。
【００５４】
第２の中継部材３６の係合部３６ｄには裏枠１６が第１の中継部材３１とともに前回動端へ回動したときに連繋片３３の前連繋部３３ｂが挿通される丸孔状の挿通孔３７が形成されるとともに、係合部３６ｄには、挿通孔３７の後側に挿通孔３７を包用するように隣設されて断面積が後方から前方へ漸減するすりばち面状の凹曲面形状を有し、連繋片３３の前連繋部３３ｂが挿通孔３７に挿通される直前に連繋片３３の先端部を連繋片３３の上下方向の全移動範囲にわたって滑動させて挿通孔３７側へ案内する案内面３８が形成されている。
【００５５】
案内面３８の前端縁は丸孔状で挿通孔３７の後側孔縁に連接され、案内面３８の後端縁は連繋片３３の上下方向の移動距離より拡大された長径部を有する縦長の楕円形状に形成され、案内面３８の上部には上方へ移動した連繋片３３を案内する上案内部３８ａが形成され、案内面３８の下部には下方へ移動した連繋片３３を案内する下案内部３８ｂが形成されている。
【００５６】
裏枠１６が第２の中継部材３６とともに前方の回動端の若干手前まで回動すると、第１の中継部材３１が上方へ変位した状態であっても下方へ変位した状態であっても連繋片３３の先端部が第２の中継部材３６の案内面３８に突き当たって前方への連繋片３３の移動に伴って挿通孔３７側へ滑動し、裏枠１６を前方の回動端へ回動すると、連繋片３３の前連繋部３３ｂが挿通孔３７内に自動的に挿通されて第１の中継部材３１が第２の中継部材３６に自動的に連結される。
【００５７】
両球切れ作動片２０，２１上のパチンコ球が限度以下に減少して第１球切れ作動片２０が上方へ揺動し、続いて、第２球切れ作動片２１の球受部２１ａが上方へ揺動すると、第１の中継部材３１の連繋杆３２が上動して連繋片３３が上方へ変位し、第２の中継部材３６が上方へ揺動して第３の中継部材４０が引上げられ、シャッタ１４の受動部１４ａが第３の中継部材４０によって押上げられることにより、図２のようにシャッタ１４が実線で示される通常の球送り可能位置から想像線で示される球送り不能位置に回動変化してその球止め部１４bで球受口１０を遮断し、球発射起点５へのパチンコ球の供給を不能とする。
【００５８】
続いて、上記した構成を有する実施例の作用と効果を説明する。
本例では補給用のパチンコ球が集合する球補給部２５にはそれぞれパチンコ球の受止めおよび誘導が可能で受止めたパチンコ球の個数が限度以下に減少したときに個々に作動する第１球切れ作動片２０と第２球切れ作動片２１とを設置し、第１球切れ作動片２０をこの第１球切れ作動片２０の動きによって球切れ信号を出力する１対の球切れ検出スイッチ２８に連繋し、第２球切れ作動片２１をこの第２球切れ作動片２０の動きによって作動する第１の中継部材３１に連繋し、両球切れ作動片２０，２１を、第１球切れ作動片２０上のパチンコ球の個数が限度以下に減少して第１球切れ作動片２０が作動した後で、第２球切れ作動片２１上のパチンコ球の個数が限度以下に減少して第２球切れ作動片２１が作動するように配列してある。
【００５９】
このため、球補給部２５での球切れ発生状況を両球切れ作動片２０，２１によって重複して感知して複数の他部材に伝達することができるので、球切れに対処する処理態様を多様化することができる。
【００６０】
また、球補給部２５での球切れを検出する部材を、球切れ検出スイッチ２８に連繋された第１球切れ作動片２０と、伝動機構に連繋された第２球切れ作動片２１とに分割して両球切れ作動片２０，２１の動きを球切れ検出スイッチ２８および第１の中継部材３１に対して個別に伝えることができるので、検出スイッチおよび伝動機構をそれぞれ適正な態様で相互干渉を無くして的確に作動させることができ、球切れ検出機構の誤動作や検出ミスを防止することができる。
【００６１】
さらに、球切れを両球切れ作動片２０，２１によって時間的にずらせて検出することができるので、球切れ状態のレベルに合わせてパチンコ機の機能を段階的に切替えて球切れに２段階で対処することができる。
【００６２】
また、球切れ時に第１球切れ作動片２０の動きによって２つの球切れ検出スイッチ２８を同時に作動させることができ、両球切れ検出スイッチ２８の触動片２８ａの動作タイミングがずれるおそれがないので、球切れ検出制御回路を簡略化してそのコストを節減することができるとともに、２つの異なった場所へ同時に球切れ信号を出力することができる。
【００６３】
さらに、球送り機構８の機能を停止する以前に球切れ検出スイッチ２８が球切れ信号を出力するので、パチンコ機の機能が停止する以前に警告表示等の球切れに対する予防処置を行うことが可能となり、また、球送り機構８の機能を停止する以前に遊技場の管理装置に球切れ信号を出力することができるので、球切れが発生した場合の処置を予め準備することができる。
【００６４】
また、球切れ検出スイッチ２８が出力する球切れ信号を当該パチンコ機の制御回路に送ると、球切れ信号を、賞品球を払い出す賞品球払い出しモータの電源や、打球用の発射モータの電源等を断つための制御手段として活用することができる。
【００６５】
さらに、両球切れ作動片２０，２１の球受け面を横方向に隣接して配列してあるので、両球切れ作動片２０，２１が作動するタイミングを一定範囲内で接近させてそのタイミングのずれを短縮することができる。
【００６６】
また、第２球切れ作動片２１を、パチンコ球の流れに関して第１球切れ作動片２０の下流に配置して流下するパチンコ球を待機する位置に設置し、第２球切れ作動片２１の動きが第１球切れ作動片２０上から第２球切れ作動片２１上へ転動するパチンコ球の流れを妨げることが無いので、両球切れ作動片２０，２１の作動領域での球詰りを防ぐことができる。
【００６７】
さらに、２つの球切れ検出スイッチ２８が球切れ表示ランプや管理装置に同種の信号を並行的に出力し、一方の球切れ検出スイッチ２８に断線や異常が発生しても、球切れ検出信号の取り出しが中断するおそれがないので、球切れ検出を補償して球切れ検出信号の発信ミスを無くすことができる。
【００６８】
また、第１球切れ作動片２０の球受面が球補給部２５で占めるスペースを４cm2 未満とし、第２球切れ作動片２１の球受面が球補給部２５で占めるスペースを１２cm2 未満としてあるので、両球切れ作動片２０，２１がパチンコ球の貯留や流れに及ぼす影響を可及的に軽減することができる。
【００６９】
さらに、第２球切れ作動片２１の球受部２１ａの上面に球分離整列用の凸条２７ｄを形成してあるので、球タンク１７内から流下するパチンコ球群を前後方向に分離させて整列状態にして球レール１８へ誘導することができる。
【００７０】
また、両球切れ作動片２０，２１がパチンコ球の流れの方向に沿って配列され、球補給部２５での単一箇所における局部的な球切れ検出が行われないので、球補給部２５の全領域でのパチンコ球の貯留状態や球切れ状態を平均的に偏りなく検出することができる。
【００７１】
さらに、単一の部材の動きを球切れ検出スイッチ２８と伝動機構とに同時に伝える構成ではないので、伝動機構の動きが球切れ検出スイッチ２８に逆戻り状に作用して球切れ検出スイッチ２８が誤動作したり、再作動する不具合を無くすことができる。
【００７２】
また、両球切れ動片２０，２１の動きが時間的にずれるので、球切れに際して予備的な処置と、応急的な処置とを時間的に異らせて別個に行うことができる。
【図面の簡単な説明】
【図１】本発明の１実施例を示すパチンコ機の裏面図である。
【図２】球送り機構の要部の裏面図である。
【図３】図１のＸ１−Ｘ１線拡大断面図である。
【図４】図３のＸ２−Ｘ２線断面図である。
【図５】図４のＸ３−Ｘ３線断面図である。
【図６】第２の中継部材付近の一部破断裏面図である。
【図７】第１、第２中継部材の連結部付近の分解斜視図である。
【図８】第１および第２の中継部材の連結部付近の縦断面図である。
【符号の説明】
１７  球タンク
２０  第１球切れ作動片
２１  第２球切れ作動片
２５  球補給部
２８  球切れ検出スイッチ
３１  第１の中継部材
【図１】
0003967779.tif 000002
【図２】
0003967779.tif 000003
【図３】
0003967779.tif 000004
【図４】
0003967779.tif 000005
【図５】
0003967779.tif 000006
【図６】
0003967779.tif 000007
【図７】
0003967779.tif 000008
【図８】
0003967779.tif 000009